(57)【要約】【課題】視聴覚情報の中で、ユーザーが希望する情報が得られる、情報抽出装置、情報抽出システム及び情報抽出方法を提供することを目的とする。【解決手段】視聴覚情報を入力する入力手段と、前記視聴覚情報に基づき複数の照会用情報を抽出する情報抽出手段と、前記複数の照会用情報の中からユーザーが選択した照会用情報に関連する詳細情報を取得する照会手段とを有する。【選択図】      図１
2014052876.tif 000002
【特許請求の範囲】
【請求項１】
視聴覚情報を入力する入力手段と、
前記視聴覚情報に基づき複数の照会用情報を抽出する情報抽出手段と、
前記複数の照会用情報の中からユーザーが選択した照会用情報に関連する詳細情報を取得する照会手段と
を有する情報抽出装置。
【請求項２】
請求項１に記載の情報抽出装置であって、さらに、
前記視聴覚情報において照会用情報を抽出するタイミングを指示する指示手段を有することを特徴とする、情報抽出装置。
情報抽出装置。
【請求項３】
請求項２に記載の情報抽出装置であって、
前記情報抽出手段は、指示されたタイミングにおける視聴覚情報に含まれる映像の静止画を照会用情報の少なくとも１つとして抽出することを特徴とする、
情報抽出装置。
【請求項４】
請求項２に記載の情報抽出装置であって、
前記情報抽出手段は、指示されたタイミング前後の所定時間の視聴覚情報に含まれる音声を照会用情報の少なくとも１つとして抽出することを特徴とする、
情報抽出装置。
【請求項５】
請求項１乃至４に記載の情報抽出装置であって、
前記表示手段は、前記照会用情報を表示することを特徴とする、
情報抽出装置。
【請求項６】
請求項１乃至５に記載の情報抽出装置であって、
前記表示手段は、前記詳細情報を表示することを特徴とする、
情報抽出装置。
【請求項７】
請求項１乃至６に記載の情報抽出装置と、
前記照会手段と通信可能な照会サーバを有し、
前記照会手段は前記照会用情報を前記照会サーバに送信し、前記照会サーバは、前記照会用情報に関連する詳細情報を取得し、前記照会手段に送信することを特徴とする、
情報抽出システム。
【請求項８】
視聴覚情報に基づき複数の照会用情報を抽出し、前記複数の照会用情報の中からユーザーが選択した照会用情報に関連する詳細情報を取得する、情報抽出方法。
【請求項９】
請求項８に記載の情報抽出方法であって、さらに、
前記視聴覚情報において、指示されたタイミングで照会用情報を抽出する、
情報抽出方法。
【請求項１０】
請求項９に記載の情報抽出方法であって、前記指示されたタイミングにおける視聴覚情報に含まれる映像の静止画を照会用情報の少なくとも１つとして抽出することを特徴とする、
情報抽出方法。
【発明の詳細な説明】
【技術分野】
【０００１】
本発明は、情報抽出装置及び情報抽出方法に関する。
【背景技術】
【０００２】
インターネット等の双方向通信により視聴覚情報をユーザーに提供するサービスでは、ユーザーが視聴中の視聴覚情報に関連する商品等の購入サイトに誘導させる仕組みを取り入れることで、ユーザーが直ちに購買行動に移れるような工夫がなされている。
【０００３】
一方で、テレビジョンやラジオなどのユーザーは、視聴中の視聴覚情報をきっかけに購買行動に移るまでに、次の行動をとらなければならなかった。
【０００４】
すなわち、ユーザーが視聴中に気になる商品やサービスを発見した場合、そのキーワードをもとにインターネットで検索したり、雑誌で調べたりした上で、インターネット上の購買サイトや店舗を訪れる等して、商品やサービスを購買しなければならなかった。テレビジョンやラジオなどの場合、インターネット等の双方向通信に比べ、ユーザーが購買行動をとるまでに時間や手間がかかるため、商品やサービスの販売機会が失われている可能性があった。
【０００５】
こうした問題を解消するために、特許文献１には、ＩＰＴＶ（Ｉｎｔｅｒｎｅｔ Ｐｒｏｔｏｃｏｌ  Ｔｅｌｅｖｉｓｉｏｎ）受信装置で視聴する番組内容と連動した情報をインターネット上のＷｅｂサイトから収集して表示するＴＶ番組関連情報表示システムが記載されている。
【０００６】
図１０は、特許文献１のＴＶ番組関連情報表示システムのブロック図である。端末間イベント同期装置２は、シナリオ制御部２１と、ＩＤ（Ｉｄｅｎｔｉｔｙ  Ｄｏｃｕｍｅｎｔ）管理部２２と、放送情報取得部２３と、イベント発見部２４と、端末管理部２５と、Ｗｅｂ情報収集部２６とを備える。また、ＨＧＷ（Ｈｏｍｅ  Ｇａｔｅｗａｙ）装置４は、チャンネル情報取得部４１を備え、チャンネル情報取得部４１は、ＩＰＴＶ受信装置５におけるマルチキャスト通信の開始・変更・終了を監視して検出する。当該検出した情報を、当該マルチキャスト通信の状態変化を示す情報として生成する。そして、当該生成した情報と、ＨＧＷ装置４を一意に識別するＨＧＷ識別子と、ＩＰＴＶ受信装置５のＩＰ（Ｉｎｔｅｒｎｅｔ  Ｐｒｏｔｏｃｏｌ）アドレスと、当該開始・変更・終了を監視して得られるマルチキャストアドレスとを組み合わせ、番組検出メッセージとして生成する。当該生成した番組情報メッセージは、イベント発見部２４に送出される。
【０００７】
放送情報取得部２３は、ＩＰＴＶ配信装置１からのＩＰＴＶ放送のデータを受信し、番組配列情報を抽出して、「番組情報テーブル」を作成し、ＩＤ管理部２２に記憶保持する。イベント発見部２４は、ＨＧＷ装置４に具備されるチャンネル情報取得部４１から、ＩＰＴＶ受信装置５のマルチキャスト通信の状態変化の情報を受信し、この受信内容に基づいてシナリオ制御部２１を起動させる。
【０００８】
シナリオ制御部２１は、イベント発見部２４からの情報に基づいて、Ｗｅｂ情報収集部２６に、予め定められたシナリオに基づいてインターネット上のＷｅｂサイト（ＳＮＳ（Ｓｏｃｉａｌ  Ｎｅｔｗｏｒｋｉｎｇ  Ｓｅｒｖｉｃｅ）サービスサーバ８、リアルタイムＷｅｂサービスサーバ９）から情報収集を行わせる。当該収集した情報をメッセージ表示装置３に表示可能な形式に変換した上で表示メッセージを生成し、この収集情報の表示メッセージの送信を行うよう端末管理部２５に指示する。
【先行技術文献】
【特許文献】
【０００９】
【特許文献１】特開２０１１−２５９３８３
【発明の概要】
【発明が解決しようとする課題】
【００１０】
しかしながら、特許文献１に記載のＴＶ番組関連情報表示システムには、以下の問題があった。すなわち、特許文献１に記載のＴＶ番組関連情報表示システムの場合、視聴中のＩＰＴＶに関連する情報が全てメッセージ表示装置３に表示される事になるため、視聴中のＩＰＴＶの内容に関連する多数の収集情報が表示される可能性がある。ユーザーは、視聴中の情報の全てに興味があるわけではないため、ユーザーにとって興味のない収集情報も含め全て表示されてしまうと、かえって興味のある情報を選び出すことができなくなる恐れがある。
【００１１】
本発明の目的は、視聴覚情報の中で、ユーザーが希望する情報が得られる、情報抽出装置及び情報抽出方法を提供することを目的とする。
【課題を解決するための手段】
【００１２】
本発明の情報抽出装置は、視聴覚情報を入力する入力手段と、前記視聴覚情報に基づき複数の照会用情報を抽出する情報抽出手段と、前記複数の照会用情報の中からユーザーが選択した照会用情報に関連する詳細情報を取得する照会手段とを有することを特徴とする。
【００１３】
本発明の情報抽出方法は、視聴覚情報に基づき複数の照会用情報を抽出し、前記複数の照会用情報の中からユーザーが選択した照会用情報に関連する詳細情報を取得することを特徴とする。
【発明の効果】
【００１４】
本発明によれば、視聴覚情報の中で、ユーザーが希望する情報が得られる、情報抽出装置及び情報抽出方法が提供される。
【図面の簡単な説明】
【００１５】
【図１】第１の実施形態に係る情報抽出装置のブロック図である。
【図２】第１の実施形態に係る情報抽出装置における照会用情報のデータ構造である。
【図３】第１の実施形態に係る情報抽出装置のシーケンス図である。
【図４】第２の実施形態に係る情報抽出装置のブロック図である。
【図５】第２の実施形態に係る情報抽出装置のシーケンス図である。
【図６】第３の実施形態に係る情報抽出装置のブロック図である。
【図７】第３の実施形態に係る情報抽出装置のシーケンス図である。
【図８】第４の実施形態に係る情報抽出システムのブロック図である。
【図９】第４の実施形態に係る情報抽出システムのシーケンス図である。
【図１０】特許文献１に係るＴＶ番組関連情報表示システムのブロック図である。
【発明を実施するための形態】
【００１６】
［第１の実施形態］
図１乃至３を参照し、第１の実施形態に係る情報抽出装置について説明する。図１は、第１の実施形態に係る情報抽出装置のブロック図である。図１に示されるように、本発明の第１の実施形態に係る情報抽出装置１００は、入力手段１１０と、情報抽出手段１２０と、照会手段１３０を有する。
【００１７】
入力手段１１０は、視聴覚情報を入力する。視聴覚情報としては、例えば、地上波放送や、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送、ケーブルテレビ等の放送の視聴覚情報を適用することができる。また、ＩＰＴＶ等によるＶＯＤ（Ｖｉｄｅｏ  Ｏｎ  Ｄｅｍａｎｄ）、ダウンロードサービス、マルチキャスト等の視聴覚情報も適用できる。また、ＤＶＤ（Ｄｉｇｉｔａｌ Ｖｅｒｓａｔｉｌｅ Ｄｉｓｋ）等の情報記憶媒体に記録されている視聴覚情報でも良い。
【００１８】
情報抽出手段１２０は、入力手段１１０に入力された視聴覚情報に基づき、複数の照会用情報を抽出する。例えば、視聴覚情報と多重化されて送出されるデータ放送中に含まれる情報を照会用情報として抽出することができる。地上波放送の料理番組であれば、料理に用いる食材や調味料に関する情報が視聴覚情報と多重化されて送出されていることがある。そこで、これらの情報を、ユーザーが視聴中の視聴覚情報と関連性の高い照会用情報として、抽出することができる。
【００１９】
あるいは、予め視聴覚情報に対応する照会用情報を、視聴覚情報と共に送出するようにし、情報抽出手段１２０がこれを照会用情報として取得するようにしても良い。
【００２０】
また、情報抽出手段１２０は、視聴覚情報に含まれる映像や音声を、任意のタイミングで取得し、照会用情報としても良い。以下では、任意のタイミングで取得した照会用情報をスナップショットといい、映像のスナップショットを映像スナップショット、音声のスナップショットを音声スナップショットと呼ぶ。
【００２１】
例えば、視聴覚情報に含まれる映像から静止画を取得して照会用情報とすることができる。また、映像に含まれるオブジェクトなどを照会用情報として抽出することもできる。オブジェクトの抽出は、既知のデジタル画像のパターン認識の手法を採用することができる。例えば、映像に含まれる物体の輪郭を切り抜いた画像を抽出し、あるいは色成分を抽出することにより、オブジェクトを抽出することができる。
【００２２】
また、視聴覚情報に含まれる音声の一部分を取得して、照会用情報とすることができる。また、取得した音声を文字化した音声テキストや、音声波形などを照会用情報として抽出することもできる。
【００２３】
音声スナップショットは、例えば、任意のタイミングの前後１０秒程度を取得することとすることができる。歌や言葉のフレーズや、音階の変化が判別できる一定期間の音声を取得するためである。音声から音声テキストや、音声波形を取得する方法は、既知のデジタル音声認識や信号処理の手法を採用することができる。
【００２４】
以上のような照会用情報は、以下のようなデータ構造としてまとめることができる。図２は、第１の実施形態に係る情報抽出装置における照会用情報のデータ構造の一例である。
【００２５】
スナップショットＩＤ（１２０１）のエリアは映像や音声のスナップショットを取得するたびに付与される固有ＩＤを格納する。日時（１２０２）のエリアは、映像や音声のスナップショットを取得した日時を格納する。放送局コード（１２０３）のエリアは、映像や音声のスナップショットを取得した際にユーザーが視聴していた放送局コードを格納する。番組コード（１２０４）のエリアは映像や音声のスナップショットを取得した際にユーザーが視聴していた番組を表すコードを格納する。
【００２６】
キーワード（１２０５）のエリアとは、視聴覚情報と多重化して送出されるデータ放送より抽出したキーワードである。映像・音声スナップショット（１２０６）のエリアは、映像スナップショット（１２０７）と、音声スナップショット（１２０８）を格納する。映像スナップショット（１２０７）には、任意のタイミングで取得した静止画（１２０７１）や、抽出したオブジェクト（１２０７２）等が格納されるエリアがある。音声スナップショット（１２０８）には、任意のタイミングで取得した音声データ（１２０８１）や、音声テキスト（１２０８２）、音声波形（１２０８３）が格納されるエリアがある。
【００２７】
このように、映像や音声から照会用情報を抽出することで、照会用情報が予め多重化されていない視聴覚情報であっても、照会用情報を取得することができる。
【００２８】
照会手段１３０は、複数の照会用情報の中からユーザーが選択した照会用情報に関連する詳細情報を取得する。複数の照会用情報は、図１に図示されない表示手段等に表示される。ユーザーは、いずれの照会用情報に関する詳細情報の取得を希望するか選択し、照会手段１３０は選択された照会用情報の詳細情報を取得する。例えば、旅行に関する視聴覚映像を視聴していたとすると、図２のデータ構造に基づき下記の照会用情報が表示される。すなわち、キーワード（旅行）、静止画（旅行風景）、オブジェクト（静止画に含まれる自動車、山、登場人物など）、音声データ、音声テキスト（旅行番組のナレーションなど）、音声波形（旅行番組のＢＧＭなど）などである。
【００２９】
ユーザーが、オブジェクト（自動車）を選択すると、照会手段１３０は、照会情報に関連する詳細情報を取得する。照会手段１３０は、例えば、図示されていないデータベース等に照会することができる。また、照会可能な形式に再変換した上で、インターネット上の検索サービスや、ＳＮＳに照会を行っても良い。照会手段１３０は、以上のような照会を行い、選択した自動車の詳細な情報、選択した自動車の販売店、ＳＮＳサービスの利用者による選択した自動車の評価、購入サイトのリンク等の詳細情報を取得する。
【００３０】
図３は、第１の実施形態に係る情報抽出装置のシーケンス図である。上方から下方へ向かって時間が経過するものとする。入力手段１１０に視聴覚情報が入力されると、入力手段１１０は視聴覚情報を情報抽出手段１２０に送信する（Ａ１）。情報抽出手段１２０は、視聴覚情報に基づき、照会用情報を抽出し（Ａ２）、照会手段１３０に送信される（Ａ３）。抽出された照会用情報は、図示されない表示手段等に表示され、ユーザーがいずれの照会用情報の詳細情報を取得するか選択する（Ａ４）。ユーザーが選択した照会用情報について、照会手段１３０が詳細情報を取得する照会を行う（Ａ５）。照会手段１３０は、図示されないデータベースや検索サービスなどに照会を行い、照会用情報に関連する詳細情報を取得する（Ａ６）。
【００３１】
以上のように、本発明の第１の実施形態に係る情報抽出手段によれば、視聴覚情報の中で、ユーザーが希望する情報が得られる情報抽出装置が提供される。
【００３２】
［第２の実施形態］
図４及び５を参照し、第２の実施形態に係る情報抽出装置について説明する。第２の実施形態は、第１の実施形態の変形例である。図４は、第２の実施形態に係る情報抽出装置のブロック図である。第２の実施形態は、指示手段１４０以外は第１の実施形態と同様であり、図１から図３に記載の番号は図４及び図５においても同じ構成を示す。
【００３３】
図４に示されるように、本発明の第２の実施形態に係る情報抽出装置１００は、入力手段１１０と、情報抽出手段１２０と、照会手段１３０と、指示手段１４０を備える。指示手段１４０は、視聴覚情報において照会用情報を抽出するタイミングを指示する。
【００３４】
例えば、視聴覚情報と多重化されて送出されるデータ放送中に含まれる情報は、視聴覚情報の内容に合わせ時間の経過と共に変化する。指示手段１４０により、照会用情報を抽出するタイミングを指示することができ、ユーザーにとって不要な照会用情報の抽出が行われなくて済む。
【００３５】
また、指示手段１４０によってスナップショットを取得する任意のタイミングを指示することができる。任意のタイミングを指示手段１４０により指示することができることにより、ユーザーにとって不要な照会用情報の抽出が行われなくて済む。
【００３６】
図５は、第２の実施形態に係る情報抽出装置のシーケンス図である。入力手段１１０に視聴覚情報が入力されると、入力手段１１０は視聴覚情報を情報抽出手段１２０に送信する（Ｂ１）。一方で、ユーザーは指示手段１４０を用いて、照会用情報を抽出するタイミングを指示する（Ｂ２）。指示手段１４０は、情報抽出手段１２０に対して指示タイミングを送信する（Ｂ３）。情報抽出手段１２０は、視聴覚情報に基づき、指示タイミングで照会用情報を抽出し（Ｂ４）、照会手段１３０に送信する（Ｂ５）。抽出した照会用情報は、図示されない表示手段等に表示され、ユーザーがいずれの照会用情報の詳細情報を取得するか選択する（Ｂ６）。ユーザーが選択した照会用情報について、照会手段１３０が詳細情報を取得する照会を行う（Ｂ７）。図示されないデータベースや検索サービスなどに照会を行い、照会用情報に関連する詳細情報を取得する（Ｂ８）。
【００３７】
以上のように、本発明の第２の実施形態に係る情報抽出手段によれば、ユーザーにとって不要な照会用情報の抽出が行われなくて済むため、ユーザーが希望する詳細情報をより得やすくなる。
【００３８】
［第３の実施形態］
図６及び７を参照し、第３の実施形態に係る情報抽出装置について説明する。第３の実施形態は、第１及び第２の実施形態の変形例である。以下では、第１の実施形態の変形例として説明する。図６は、第３の実施形態に係る情報抽出装置のブロック図である。第３の実施形態は、表示手段１５０以外は第１の実施形態と同様であり、図１から図３に記載の番号は図６及び図７においても同じ構成を示す。
【００３９】
表示手段１５０は、照会用情報や詳細情報を表示することができ、液晶ディスプレイ等、種々の表示手段を用いることができる。
【００４０】
図７は、第３の実施形態に係る情報抽出装置のシーケンス図である。入力手段１１０に視聴覚情報が入力されると、入力手段１１０は視聴覚情報を情報抽出手段１２０に送信する（Ｃ１）。情報抽出手段１２０は、視聴覚情報に基づき、照会用情報を抽出し（Ｃ２）、照会手段１３０に送信する（Ｃ３）。
【００４１】
抽出した照会用情報は、表示手段１５０に表示され（Ｃ５）、ユーザーがいずれの照会用情報の詳細情報を取得するか選択する（Ｃ６）。ユーザーが選択した照会用情報について、照会手段１３０が詳細情報を取得する照会を行う（Ｃ７）。図示されないデータベースや検索サービスなどに照会を行い、照会用情報に関連する詳細情報を取得する（Ｃ８）。
【００４２】
取得した詳細情報は、表示手段１５０に送られ（Ｃ９）、表示手段１５０に表示される（Ｃ１０）。
【００４３】
以上のように、本発明の第３の実施形態に係る情報抽出装置によれば、表示手段に照会用情報や詳細情報が表示されるため、ユーザーが詳細情報を希望する照会用情報をより選択しやすくなり、詳細情報を確認しやすい情報抽出装置が提供される。
【００４４】
なお、表示手段１５０は、照会用情報及び詳細情報のいずれも表示しても良いし、いずれか一方のみを表示しても良い。例えば、図６に図示しない視聴覚情報の表示手段と可搬な表示手段１５０を組み合わせて、一方に照会用情報を表示し、他方に詳細情報を表示するようにすることができる。
【００４５】
表示手段１５０に照会用情報を表示し、視聴覚情報の表示手段に詳細情報を表示することで、ユーザーの手元で照会用情報を閲覧し、視聴覚情報の表示手段で詳細情報を表示し、複数のユーザーで共有することもできる。また、視聴覚情報の表示手段に照会用情報を表示し、表示手段１５０に詳細情報を表示することにより、視聴覚情報の表示を妨げずにユーザーの手元で詳細情報を閲覧することができる。
【００４６】
［第４の実施形態］
図８及び９を参照し、第４の実施形態に係る情報抽出システムについて説明する。第４の実施形態は、第１乃至３の実施形態の変形例である。以下では、第１の実施形態の変形例として説明する。図８は、第４の実施形態に係る情報抽出システムのブロック図である。第４の実施形態は、照会サーバ２００以外は第１の実施形態と同様であり、図１から図３に記載の番号は図８及び図９においても同じ構成を示す。
【００４７】
照会サーバ２００は、照会手段１３０と通信可能である。照会手段１３０は照会用情報を照会サーバ２００に送信し、照会サーバ２００は、照会用情報に関連する詳細情報を取得し、照会手段１３０に送信する。照会サーバ２００は、例えば、照会用情報に基づきインターネット上で詳細情報の検索を行ったり、物販サイトで照会用情報に関連する商品情報を詳細情報として取得したりして、照会サーバ２００に送信する。
【００４８】
また、照会サーバ２００を中心に、バックボーンサーバ群を構成することもできる。バックボーンサーバ群として、例えば、インターネット上で照会用情報に基づき詳細情報の検索を行う検索サーバや、ＳＮＳ上から詳細情報を取得するＳＮＳ連携サーバや、映像スナップショットから抽出されたオブジェクトや音声スナップショットから抽出された音声波形のマッチング処理を専用に行う画像・音声照会サーバが適用できる。このような照会サーバ及びバックボーンサーバ群を設けることで、詳細情報取得に要するサーバ２００の負荷を分散することができる。
【００４９】
図９は、第４の実施形態に係る情報抽出装置のシーケンス図である。入力手段１１０に視聴覚情報が入力されると、入力手段１１０は視聴覚情報を情報抽出手段１２０に送信する（Ｄ１）。情報抽出手段１２０は、視聴覚情報に基づき、照会用情報を抽出し（Ｄ２）、照会手段１３０に送信される（Ｄ３）。
【００５０】
ユーザーがいずれの照会用情報の詳細情報を取得するか選択する（Ｄ４）と、ユーザーが選択した照会用情報について、照会手段１３０が詳細情報を取得する照会を行う（Ｄ５）。照会手段１３０は、照会サーバ２００に照会情報を送信し（Ｄ６）、照会サーバは詳細情報を取得する（Ｄ７）。詳細情報を取得すると、照会サーバ２００は、照会手段１３０に送信する（Ｄ８）。
【００５１】
以上のように、本発明の第４の実施形態に係る情報抽出手段によれば、視聴覚情報の中で、ユーザーが希望する情報が得られる、情報抽出装置、情報抽出システム及び情報抽出方法が提供される。
【００５２】
本発明の情報抽出装置及び情報抽出方法は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。本発明のさらなる課題、目的及び展開形態は、請求の範囲を含む本発明の全開示事項からも明らかにされる。
【符号の説明】
【００５３】
１    ＩＰＴＶ配信装置
２    端末間イベント同期装置
２１    シナリオ制御部
２２    ＩＤ管理部
２３    放送情報取得部
２４    イベント発見部
２５    端末管理部
２６    Ｗｅｂ情報収集部
３    メッセージ表示装置
４    ＨＧＷ装置
４１    チャンネル情報取得部
５    ＩＰＴＶ受信装置
６    ＩＰ通信網
７    インターネット
８    ＳＮＳサービスサーバ
９    リアルタイムＷｅｂサービスサーバ
１００    情報抽出装置
１１０    入力手段
１２０    情報抽出手段
１３０    照会手段
１４０    指示手段
１５０    表示手段
２００    照会サーバ
３００    情報抽出システム
１２０１    スナップショットＩＤ
１２０２    日時
１２０３    放送局コード
１２０４    番組コード
１２０５    キーワード
１２０６    映像・音声スナップショット
１２０７    映像スナップショット
１２０７１    静止画
１２０７２    オブジェクト
１２０８    音声スナップショット
１２０８１    音声データ
１２０８２    音声テキスト
１２０８３    音声波形
【図１】
2014052876.tif 000003
【図２】
2014052876.tif 000004
【図３】
2014052876.tif 000005
【図４】
2014052876.tif 000006
【図５】
2014052876.tif 000007
【図６】
2014052876.tif 000008
【図７】
2014052876.tif 000009
【図８】
2014052876.tif 000010
【図９】
2014052876.tif 000011
【図１０】
2014052876.tif 000012